(57)【要約】【課題】仲介連結部材への主鉄筋の取り付け作業を容易にすることができる鉄骨柱と梁コンクリート主鉄筋の連結構造を提供する。【解決手段】梁コンクリート１４中に埋め込まれる鉄骨柱１１と、梁コンクリート１４中に配筋される主鉄筋２２とが仲介連結部材８を介して連結される鉄骨柱と梁コンクリート主鉄筋の連結構造２であって、前記仲介連結部材８の周縁部の上面及び／又は下面上に、オネジ状部材２０がその軸線方向の長さの一部分が仲介連結部材８の外周の水平方向外側に突出するように接合され、前記オネジ状部材２０は、メネジ状部材２４を介して前記主鉄筋２２のオネジ状端部２２ａと連結されるようにした。【効果】鉄骨柱と梁コンクリート主鉄筋の連結構造における仲介連結部材への主鉄筋の取り付け作業を容易にすることができる。【選択図】図１
2010138607.tif 000002
【特許請求の範囲】
【請求項１】
梁コンクリート中に埋め込まれる鉄骨柱と、梁コンクリート中に配筋される主鉄筋とが仲介連結部材を介して連結される鉄骨柱と梁コンクリート主鉄筋の連結構造であって、
前記仲介連結部材の周縁部の上面及び／又は下面上に、オネジ状部材がその軸線方向の長さの一部分が仲介連結部材の外周の水平方向外側に突出するように接合され、
前記オネジ状部材は、メネジ状部材を介して前記主鉄筋のオネジ状端部と連結される
ことを特徴とする鉄骨柱と梁コンクリート主鉄筋の連結構造。
【請求項２】
前記仲介連結部材が、板状であって水平に配置されることを特徴とする請求項１に記載の鉄骨柱と梁コンクリート主鉄筋の連結構造。
【請求項３】
前記オネジ状部材のオネジ状部と前記主鉄筋のオネジ状部とは、逆ネジ状の関係となっていることを特徴とする請求項１又は２に記載の鉄骨柱と梁コンクリート主鉄筋の連結構造。
【請求項４】
前記仲介連結部材の中央部に形成された貫通孔に鉄骨柱が嵌合している
ことを特徴とする請求項１から３のいずれかに記載の鉄骨柱と梁コンクリート主鉄筋の連結構造。
【請求項５】
前記仲介連結部材を挟むように配置され、前記鉄骨柱が上下方向に分断されている
ことを特徴とする請求項１から３のいずれかに記載の鉄骨柱と梁コンクリート主鉄筋の連結構造。
【発明の詳細な説明】
【技術分野】
【０００１】
本発明は、例えば、建築構造物における基礎梁コンクリート中に埋め込まれた鉄骨柱の下端部が、基礎梁コンクリート中の主鉄筋と仲介連結部材を介して連結されるような、鉄骨柱と梁コンクリート主鉄筋の連結構造に関するものである。
【背景技術】
【０００２】
従来技術として、特許文献１に開示されているように、基礎梁コンクリート中に埋め込まれた鉄骨柱の下端部が、基礎梁コンクリート中の主鉄筋と仲介連結部材を介して連結される、鉄骨柱と梁コンクリート主鉄筋の連結構造があった。この従来の鉄骨柱と主鉄筋の連結構造は、例えば、板状であってその平面形状の中央に開口部を有する仲介連結部材が、その開口部に嵌合する鉄骨柱の下端部に溶接により一体的に固定され、この仲介連結部材の外周側面（鉛直面）に開口するメネジ孔に、主鉄筋の端部のオネジ部がネジ込まれるようになっていた。
【０００３】
また、上記した特許文献１には、その仲介連結部材として、上述したような外周側面に開口するメネジ孔が形成される代わりに、特許文献１の図７に示すように、仲介連結部材２６の上面上に、主鉄筋の端部のオネジ部がネジ込まれる鉄筋固定具２８を一体的に備えるようにするものが開示されている。
【特許文献１】特許第４０３３３４０号公報
【発明の開示】
【発明が解決しようとする課題】
【０００４】
しかしながら、上記従来の鉄骨柱と主鉄筋の連結構造は、その仲介連結部材に主鉄筋を連結する作業の際に、仲介連結部材に設けられたメネジ孔又は鉄筋固定具に、主鉄筋の端部のオネジ部をネジ込むようになっている。このため、主鉄筋はその端部だけが連結されるのであっても、このような連結の作業の際には、主鉄筋をその長さ全体にわたって軸線回りに回転させなければならないので、大変な労力が必要になるという問題があった。
【０００５】
そこで本発明は、上記問題点に鑑みて、仲介連結部材への主鉄筋の取り付け作業を容易にすることができる鉄骨柱と梁コンクリート主鉄筋の連結構造を提供することを課題とするものである。
【課題を解決するための手段】
【０００６】
上記課題を解決するために本発明は、
梁コンクリート中に埋め込まれる鉄骨柱と、梁コンクリート中に配筋される主鉄筋とが仲介連結部材を介して連結される鉄骨柱と梁コンクリート主鉄筋の連結構造であって、
前記仲介連結部材の周縁部の上面及び／又は下面上に、オネジ状部材がその軸線方向の長さの一部分が仲介連結部材の外周の水平方向外側に突出するように接合され、
前記オネジ状部材は、メネジ状部材を介して前記主鉄筋のオネジ状端部と連結されることを特徴とするものである。
【０００７】
また、本発明の鉄骨柱と梁コンクリート主鉄筋の連結構造は、前記仲介連結部材が、板状であって水平に配置されることを特徴とするものである。
【０００８】
また、本発明の鉄骨柱と梁コンクリート主鉄筋の連結構造は、前記オネジ状部材のオネジ状部と前記主鉄筋のオネジ状部とは、逆ネジ状の関係となっていることを特徴とするものである。
【０００９】
また、本発明の鉄骨柱と梁コンクリート主鉄筋の連結構造は、前記仲介連結部材の中央部に形成された貫通孔に鉄骨柱が嵌合していることを特徴とするものである。
【００１０】
また、本発明の鉄骨柱と梁コンクリート主鉄筋の連結構造は、前記仲介連結部材を挟むように配置され、前記鉄骨柱が上下方向に分断されていることを特徴とするものである。
【発明の効果】
【００１１】
このような本発明の鉄骨柱と梁コンクリート主鉄筋の連結構造によれば、
梁コンクリート中に埋め込まれる鉄骨柱と、梁コンクリート中に配筋される主鉄筋とが仲介連結部材を介して連結される鉄骨柱と梁コンクリート主鉄筋の連結構造であって、
前記仲介連結部材の周縁部の上面及び／又は下面上に、オネジ状部材がその軸線方向の長さの一部分が仲介連結部材の外周の水平方向外側に突出するように接合され、
前記オネジ状部材は、メネジ状部材を介して前記主鉄筋のオネジ状端部と連結されることにより、
仲介連結部材に主鉄筋を取り付ける作業の際に、主鉄筋をその長さ全体にわたって軸線回りに回転させなくても、メネジ状部材だけを回転させれば良いので、仲介連結部材への主鉄筋の取り付け作業を容易にすることができる。
【００１２】
また、本発明の鉄骨柱と梁コンクリート主鉄筋の連結構造によれば、
前記仲介連結部材が、板状であって水平に配置されることにより、
仲介連結部材を多段状に複数設置することができるので、鉄骨柱の下端部に連結する主鉄筋の本数を多くすることができる。
【００１３】
また、本発明の鉄骨柱と梁コンクリート主鉄筋の連結構造によれば、
前記オネジ状部材のオネジ状部と前記主鉄筋のオネジ状部とは、逆ネジ状の関係となっていることにより、
長い長さを有する主鉄筋を手で持って回転させなくとも、メネジ状部材を回転させるだけで容易に連結することができる。このとき、オネジ状部材と主鉄筋は互いに接近するように引っ張られる力を受けて、たるむことなくしっかりと緊張して連結することができる。
【発明を実施するための最良の形態】
【００１４】
以下、本発明に係る鉄骨柱と梁コンクリート主鉄筋の連結構造を実施するための形態について、図面に基づいて具体的に説明する。
図１及び図２は、本発明の第１の実施の形態に係る鉄骨柱と基礎梁コンクリート主鉄筋の連結構造２について説明するために参照する図である。
【００１５】
本実施の形態に係る鉄骨柱と基礎梁コンクリート主鉄筋の連結構造２は、図１及び図２に示すように、その鉄骨柱１１の下端部１１Ａの、基礎梁コンクリート１４中の上下２箇所に、板状の仲介連結部材８が設けられている。すなわち、この仲介連結部材８は、その中央部またはその近傍に開口８ａが形成され、この開口８ａに鉄骨柱１１が嵌合し、この仲介連結部材８と鉄骨柱１１との間の相互間が溶接により固定されている。
【００１６】
仲介連結部材８は、図２に示すように、その平面形状の外周形状が略正方形に形成されている。この仲介連結部材８は、図１及び図２に示すように、その平面形状の外周の互いに隣り合って直角をなす２辺（図２中、右側の辺と下側の辺）のそれぞれに沿う周縁部の上面上及び下面上のそれぞれに、６本ずつのネジ棒部材２０（オネジ状部材）が、その軸線方向の長さの一部分が仲介連結部材８の外周から水平方向外側に突出するように溶接により接合されている。
【００１７】
この仲介連結部材８のネジ棒部材２０のそれぞれには、その外周部に予め機械加工によりオネジが形成されている。このネジ棒部材２０のそれぞれは、これらと互いに対応して同軸線上に配置される主鉄筋２２のそれぞれの先端部に予め機械加工により形成されたオネジ状端部２２ａと、カプラー２４（メネジ状部材）を介して連結されている。
【００１８】
すなわち、カプラー２４には、その軸線方向に貫通するメネジが機械加工により形成され、このカプラー２４の両端部のそれぞれに、仲介連結部材８のネジ棒部材２０と主鉄筋２２のオネジ状端部２２ａのそれぞれがネジ込まれることにより、これら仲介連結部材８のネジ棒部材２０と主鉄筋２２のオネジ状端部２２ａは互いに連結するようになっている。
【００１９】
また、仲介連結部材８のネジ棒部材２０と、主鉄筋２２のオネジ状端部２２ａは、互いに逆ネジとなっていると共に、カプラー２４の一方の略半分の長さ部分の内側に仲介連結部材８のネジ棒部材２０に対応して形成されたメネジと、その他方の略半分の長さ部分の内側に主鉄筋２２のオネジ状端部２２ａに対応して形成されたメネジ同士も、互いに逆ネジとなっている。
【００２０】
したがって、長い長さを有する主鉄筋２２を手で持って回転させなくとも、カプラー２４を回転させるだけで容易に連結することができる。このとき、ネジ棒部材２０と主鉄筋２２は互いに接近するように引っ張られる力を受けて、たるむことなくしっかりと緊張して連結することができる。
【００２１】
このような第１の実施の形態に係る、鉄骨柱と基礎梁コンクリート主鉄筋の連結構造２によれば、仲介連結部材８に主鉄筋２２を取り付ける作業の際に、主鉄筋２２をその長さ全体にわたって軸線回りに回転させなくても、カプラー２４だけを回転させれば良いので、仲介連結部材８への主鉄筋２２の取り付け作業を容易にすることができる。
【００２２】
一方、本実施の形態に係る鉄骨柱と基礎梁コンクリート主鉄筋の連結構造２によれば、その仲介連結部材８のそれぞれが、板状に形成されると共に水平に配置されるので、図示しないが、必要に応じて仲介連結部材８の個数を増やし、これらを多段状に複数設置することができるため、鉄骨柱１１の下端部に連結する主鉄筋２２の本数を多くすることができる。
【００２３】
次に、図３は、本発明の第２の実施の形態に係る鉄骨柱と基礎梁コンクリート主鉄筋の連結構造３０について説明するために参照する図である。本実施の形態は、前記第１の実施の形態と基本的に共通するので、前記第１の実施の形態に係る鉄骨柱と基礎梁コンクリート主鉄筋の連結構造２と同様の部分には同じ符号を用いて説明し、同様の構成についての重複する説明はできるだけ省略するものとする。
【００２４】
前記第１の実施の形態に係る鉄骨柱と基礎梁コンクリート主鉄筋の連結構造２においては、その仲介連結部材８に開口８ａが形成されていたが、本実施の形態に係る鉄骨柱と基礎コンクリート主鉄筋の連結構造３０においては、図３に示すように、その仲介連結部材８に開口８ａが形成されていない。
【００２５】
また、本実施の形態に係る鉄骨柱と基礎梁コンクリート主鉄筋の連結構造３０は、その鉄骨柱１１の下端部１１Ａが、その上部１１ｂと下部１１ｃに、上下方向に分断されていて、上側の仲介連結部材８はそれらの上部１１ｂと下部１１ｃに挟まれていて、溶接により、鉄骨柱１１の下端部１１Ａの上部１１ｂと下部１１ｃと仲介連結部材８が、一体的に固定されている。また、鉄骨柱４の下端部１１の下部１１ｃの下端面にも、下側の仲介連結部材８が溶接により一体的に固定されている。
【００２６】
仲介連結部材８のそれぞれには、それらの周縁部の上面上及び下面上のそれぞれに、６本ずつのネジ棒部材２０（オネジ状部材）が、その軸線方向の長さの一部分が仲介連結部材８の外周から水平方向外側に突出するように溶接により接合されている。そして前記第１の実施の形態と同様に、ネジ棒部材２０は主鉄筋２２のオネジ状端部２２ａと、カプラー２４を介して連結されている。
【００２７】
このような第２の実施の形態に係る、鉄骨柱と基礎梁コンクリート主鉄筋の連結構造３０によれば、前記第１の実施の形態と同様に、仲介連結部材８に主鉄筋２２を取り付ける作業の際に、主鉄筋２２をその長さ全体にわたって軸線回りに回転させなくても、カプラー２４だけを回転させれば良いので、仲介連結部材８への主鉄筋２２の取り付け作業を容易にすることができる。
【００２８】
一方、本実施の形態に係る鉄骨柱と基礎梁コンクリート主鉄筋の連結構造３０によっても、前記第１の実施の形態と同様に、その仲介連結部材８のそれぞれが、板状に形成されると共に水平に配置されるので、図示しないが、必要に応じて仲介連結部材８の個数を増やし、これらを多段状に複数設置することができるため、鉄骨柱１１の下端部に連結する主鉄筋２２の本数を多くすることができる。
【００２９】
なお、前記第１及び第２の実施の形態に係る鉄骨柱と基礎梁コンクリート主鉄筋の連結構造２，３０においては、その主鉄筋２２のオネジ状端部２２ａや、ネジ棒部材２０のオネジが、機械加工により形成された場合について説明したが、予め主鉄筋の製造時にその長さ方向に沿って螺旋状にオネジ状部が形成されたネジ付鉄筋（オネジ状部材）を用いてもよく、そのオネジ状部は鍛造や、螺旋に沿っての引抜き等の、機械加工以外の製造方法により形成したものであってもよい。
【００３０】
また、前記第１及び第２の実施の形態に係る鉄骨柱と基礎梁コンクリート主鉄筋の連結構造２，３０においては、そのカプラー２４のメネジが、機械加工により形成された場合について説明したが、上記ネジ付鉄筋のオネジ状部にネジ結合することができるメネジ状部が形成されたカプラー（メネジ状部材）を用いてもよく、また、そのメネジ状部も上記オネジ状部と同様に、機械加工以外の製造方法により形成したものであってもよい。
【００３１】
また、前記第１及び第２の実施の形態に係る鉄骨柱と基礎梁コンクリート主鉄筋の連結構造２，３０においては、仲介連結部材８は、その周縁部の上面上及び下面上のそれぞれに複数のネジ棒部材２０が接合されていたが、上面と下面のいずれか一方だけにネジ棒部材２０が接合されていてもよい。
【００３２】
また、前記第１及び第２の実施の形態に係る鉄骨柱と基礎梁コンクリート主鉄筋の連結構造２，３０においては、２つの仲介連結部材８を備え、この２つの仲介連結部材８が上下２段に配置されていたが、仲介連結部材８を１つだけ備えるようになっていてもよい。或いは、３つ以上の仲介連結部材８を備えて、これらが多段状に配置されていてもよい。
【００３３】
また、前記第１及び第２の実施の形態に係る鉄骨柱と基礎梁コンクリート主鉄筋の連結構造２，３０においては、仲介連結部材８は、その平面形状の外周形状が略正方形に形成されていたが、仲介連結部材８の平面形状は、このような形状に制限されない。また、仲介連結部材８は、板状であったが、板状以外の形状であってもよい。
【００３４】
また、前記第１及び第２の実施の形態に係る鉄骨柱と基礎梁コンクリート主鉄筋の連結構造２，３０においては、図２に示すように、仲介連結部材８が、その平面形状の外周の互いに隣り合って直角をなす２辺（図２中、右側の辺と下側の辺）のそれぞれに沿う周縁部にネジ棒部材２０を備えている場合について説明したが、ネジ棒部材２０は、仲介連結部材８の四辺のうちのいずれかの任意の１〜４辺に沿う周縁部に備えられていてもよい。
【００３５】
また、前記実施の形態においては、本発明を基礎梁コンクリートの主鉄筋に適用した場合について説明したが、本発明は基礎梁コンクリートの主鉄筋への適用に限定する必要は無く、本発明は、例えば、１階の天井側の梁コンクリートの主鉄筋や、それより上方の階の梁コンクリートの主鉄筋にも適用することができる。
【図面の簡単な説明】
【００３６】
【図１】本発明の第１の実施の形態に係る鉄骨柱と基礎梁コンクリート主鉄筋の連結構造２を示す一部断面側面図である。
【図２】図１に示す鉄骨柱と基礎梁コンクリート主鉄筋の連結構造２の仲介連結部材８等の一部断面平面図である。
【図３】本発明の第２の実施の形態に係る鉄骨柱と基礎梁コンクリート主鉄筋の連結構造３０を示す一部断面側面図である。
【符号の説明】
【００３７】
２  鉄骨柱と基礎梁コンクリート主鉄筋の連結構造
８  仲介連結部材
８ａ  開口
１１  鉄骨柱
１１Ａ  下端部
１１ｂ  上部
１１ｃ  下部
１４  基礎梁コンクリート
２０  ネジ棒部材
２２  主鉄筋
２２ａ  オネジ状端部
２４  カプラー
３０  鉄骨柱と基礎梁コンクリート主鉄筋の連結構造
【図１】
2010138607.tif 000003
【図２】
2010138607.tif 000004
【図３】
2010138607.tif 000005